(57)【要約】  ペン（２１）の先端はペン保持機構（３２）に拘束される。大径部材（２８）はペン（２１）の外周面から所定量で張り出す。ペン（２１）の先端の拘束が解除されると、駆動機構の働きで開口（３１ａ）に向かってペン（２１）の先端に駆動力が付与される。狭小路部材（３３）は大径部材（２８）に必ず接触する。ペン（２１）の移動は規制される。開口（３１ａ）からペンの落下は防止される。しかも、狭小路部材（３３）は、ペン（２１）の先端の拘束時、大径部材（２８）および開口（３１ａ）の間で大径部材（２８）の後端から狭小路部材（３３）の前端との間に距離Ｌ４が確保されて配置される。したがって、大径部材（２８）すなわちペン（２１）の移動距離は距離Ｌ４に相当する。ペン（２１）は距離Ｌ４の突き出し量で確実に開口から突き出る。開口（３１ａ）からペン（２１）は引っ張り出される。狭小路部材（３３）はペンの通過を許容する。ペン（２１）は開口（３１ａ）から完全に引き出される。
2007086106.tif 000002
【特許請求の範囲】
【請求項１】
開口から一方向に延びる収容空間を区画する本体と、開口から収容空間に向かって進入するペンを拘束する拘束部材と、開口に向かってペンに駆動力を付与する駆動機構と、ペンが拘束部材で拘束される際に、ペンの外周面から所定量で張り出す大径部材および開口の間で大径部材から離れて収容空間内に配置され、ペンの拘束が解除された際に大径部材に接触するとともに大径部材の通過を許容する狭小路部材とを備えることを特徴とするペンユニット。
【請求項２】
請求の範囲第１項に記載のペンユニットにおいて、前記狭小路部材は弾性体で形成されることを特徴とするペンユニット。
【請求項３】
請求の範囲第１項に記載のペンユニットにおいて、前記大径部材は前記ペンに装着されることを特徴とするペンユニット。
【請求項４】
請求の範囲第３項に記載のペンユニットにおいて、前記大径部材は弾性体で形成されることを特徴とするペンユニット。
【請求項５】
請求の範囲第４項に記載のペンユニットにおいて、前記大径部材は前記ペンのグリップを構成することを特徴とするペンユニット。
【請求項６】
請求の範囲第１項に記載のペンユニットにおいて、前記大径部材は前記ペンに一体化されることを特徴とするペンユニット。
【請求項７】
請求の範囲第１項に記載のペンユニットにおいて、前記拘束部材は前記ペンの先端を拘束し、前記駆動機構は前記ペンの先端に駆動力を付与することを特徴とするペンユニット。
【請求項８】
筐体と、筐体に区画される開口から一方向に延びる収容空間を区画する本体と、開口から収容空間に向かって進入するペンを拘束する拘束部材と、開口に向かってペンに駆動力を付与する駆動機構と、ペンが拘束部材で拘束される際に、ペンの外周面から所定量で張り出す大径部材および開口の間で大径部材から離れて収容空間内に配置され、ペンの拘束が解除された際に大径部材に接触するとともに大径部材の通過を許容する狭小路部材とを備えることを特徴とする電子機器。
【請求項９】
請求の範囲第８項に記載の電子機器において、前記狭小路部材は弾性体で形成されることを特徴とする電子機器。
【請求項１０】
請求の範囲第８項に記載の電子機器において、前記大径部材は前記ペンに装着されることを特徴とする電子機器。
【請求項１１】
請求の範囲第１０項に記載の電子機器において、前記大径部材は弾性体で形成されることを特徴とする電子機器。
【請求項１２】
請求の範囲第１１項に記載の電子機器において、前記大径部材は前記ペンのグリップを構成することを特徴とする電子機器。
【請求項１３】
請求の範囲第８項に記載の電子機器において、前記大径部材は前記ペンに一体化されることを特徴とする電子機器。
【請求項１４】
請求の範囲第８項に記載の電子機器において、前記拘束部材は前記ペンの先端を拘束し、前記駆動機構は前記ペンの先端に駆動力を付与することを特徴とする電子機器。
【発明の詳細な説明】
【技術分野】
【０００１】  本発明は、例えばスタイラスペンといったペンと、ペンを収容する収容空間を区画する本体とを備えるペンユニットに関する。
【背景技術】
【０００２】  例えばノートブックパーソナルコンピュータ（ノートパソコン）に組み込まれるペンユニットは広く知られる。このペンユニットは、開口から延びる収容空間内にスタイラスペンを受け入れる。スタイラスペンは収容空間内で拘束される。その後、スタイラスペンが開口からさらに押し込まれると、スタイラスペンの拘束は解除される。スタイラスペンの先端には開口に向かって推進力が付与される。推進力に応じてスタイラスペンは開口から所定の突き出し量で突き出る。使用者は開口から突き出たスタイラスペンを把持することができる。【０００３】  拘束中のスタイラスペンには弾性片が接触する。スタイラスペンと弾性片との摩擦力に基づきスタイラスペンの移動は規制される。こうした規制に基づき開口からのスタイラスペンの落下は阻止されることができる。スタイラスペンの突き出し量は制御される。【特許文献１】日本国特開平７−２１０２９２号公報
【特許文献２】日本国特開平８−１４７０８８号公報
【特許文献３】日本国実用新案登録第２５８７０８８号公報
【特許文献４】日本国特開平９−２０４２６５号公報
【特許文献５】日本国特開２００３−３３０６０１号公報
【発明の開示】
【０００４】  スタイラスペンや弾性片は例えば樹脂材料から成型される。寸法誤差の発生は避けられない。その結果、弾性片およびスタイラスペンの間で摩擦力が著しく減少すると、スタイラスペンが拘束から解除される際にスタイラスペンは開口から勢いよく飛び出してしまう。スタイラスペンは開口から落下する。その一方で、摩擦力が著しく増大すると、スタイラスペンの移動が阻害されてしまう。スタイラスペンは十分な突き出し量で開口から突き出ることができない。
【０００５】  本発明は、上記実状に鑑みてなされたもので、確実に所定の突き出し量で開口からペンを突き出せることができるペンユニットを提供することを目的とする。
【０００６】  上記目的を達成するために、本発明によれば、開口から一方向に延びる収容空間を区画する本体と、開口から収容空間に向かって進入するペンを拘束する拘束部材と、開口に向かってペンに駆動力を付与する駆動機構と、ペンが拘束部材で拘束される際に、ペンの外周面から所定量で張り出す大径部材および開口の間で大径部材から離れて収容空間内に配置され、ペンの拘束が解除された際に大径部材に接触するとともに大径部材の通過を許容する狭小路部材とを備えることを特徴とするペンユニットが提供される。
【０００７】  こういったペンユニットでは、本体の収容空間にペンの収容時、ペンは拘束部材に拘束される。このとき、収容空間には、大径部材および本体の開口の間で大径部材から離れて狭小路部材が配置される。大径部材はペンの外周面から所定量で張り出す。ペンの拘束が解除されると、駆動機構の働きで開口に向かってペンに駆動力が付与される。収容空間内でペンは移動する。このとき、狭小路部材は大径部材に必ず接触する。ペンの移動は規制される。開口からペンの落下は確実に防止される。
【０００８】  しかも、狭小路部材は、ペンの拘束時、収容空間内に大径部材および開口の間で大径部材から例えば所定の距離Ｌにわたって離れて配置される。したがって、大径部材すなわちペンの移動距離は距離Ｌに相当する。ペンは距離Ｌの突き出し量で確実に開口から突き出ることができる。利用者は開口からペンを引っ張り出す。このとき、狭小路部材はペンの通過を許容する。ペンは開口から完全に引き出される。
【０００９】  以上のようなペンユニットでは、狭小路部材は弾性体で形成されればよい。こうして狭小路部材が弾性体から形成されれば、狭小路部材はペンとの接触の衝撃を吸収することができる。その一方で、大径部材はペンに装着されればよい。このとき、大径部材は弾性体で形成されればよい。こうして大径部材はペンのグリップを構成することができる。その結果、ペンの握り易さは向上する。その他、大径部材はペンに一体化されてもよい。ペンユニットでは、拘束部材はペンの先端を拘束すればよい。駆動機構はペンの先端に駆動力を付与すればよい。
【００１０】  以上のようなペンユニットは例えば電子機器に組み込まれればよい。このとき、電子機器は、筐体と、筐体に区画される開口から一方向に延びる収容空間を区画する本体と、開口から収容空間に向かって進入するペンを拘束する拘束部材と、開口に向かってペンに駆動力を付与する駆動機構と、ペンが拘束部材で拘束される際に、ペンの外周面から所定量で張り出す大径部材および開口の間で大径部材から離れて収容空間内に配置され、ペンの拘束が解除された際に大径部材に接触するとともに大径部材の通過を許容する狭小路部材とを備えればよい。
【図面の簡単な説明】
【００１１】
【図１】本発明に係る電子機器の一具体例すなわちノートブックパーソナルコンピュータの外観を概略的に示す斜視図である。
【図２】スタイラスペンの構造を概略的に示す平面図である。
【図３】本発明に係るペンユニットの構造を概略的に示す斜視図である。
【図４】図３の４−４線に沿った部分断面図であり、スタイラスペンの先端が拘束される様子を概略的に示す。
【図５】図４の５−５線に沿った部分断面図である。
【図６】図４に対応し、外径部材の後端および狭小路部材の内端が接触する様子を概略的に示す部分断面図である。
【図７】図５の７−７線に沿った部分拡大断面図である。
【図８】図５の８−８線に沿った部分拡大断面図である。
【図９】図７に対応し、スタイラスペンが押し込まれる様子を概略的に示す部分断面図である。
【図１０】図７に対応し、開口に向かってスタイラスペンの先端に駆動力が付与される様子を概略的に示す部分断面図である。
【図１１】図７に対応し、スタイラスペンが押し込まれる様子を概略的に示す部分断面図である。
【図１２】図７に対応し、スタイラスペンが押し込まれる様子を概略的に示す部分断面図である。
【図１３】図４に対応し、本発明の他の具体例に係るペンユニットの構造を概略的に示す部分断面図である。
【図１４】図４に対応し、本発明のさらに他の具体例に係るペンユニットの構造を概略的に示す部分断面図である。
【図１５】図６に対応し、外径部材の後端および狭小路部材の内端が接触する様子を概略的に示す部分断面図である。
【図１６】図６に対応し、スタイラスペンが引き出される様子を概略的に示す部分断面図である。
【発明を実施するための最良の形態】
【００１２】  以下、添付図面を参照しつつ本発明の実施形態を説明する。【００１３】  図１は本発明に係る電子機器の一具体例すなわちノートブックパーソナルコンピュータ（ノートパソコン）１１の外観を概略的に示す。このノートパソコン１１は、薄型の機器本体１２と、この機器本体１２に揺動自在に連結されるディスプレイ用筐体１３とを備える。機器本体１２の表面にはキーボード１４やポインティングデバイス１５といった入力装置が組み込まれる。利用者はキーボード１４やポインティングデバイス１５から指示やデータを入力することができる。【００１４】  ディスプレイ用筐体１３には例えばＬＣＤ（液晶ディスプレイ）パネルモジュール１６が組み込まれる。ＬＣＤパネルモジュール１６の画面は、ディスプレイ用筐体１３に区画される窓孔１７に臨む。画面にはテキストやグラフィックスが表示されることができる。利用者はそういったテキストやグラフィックスに基づきノートパソコン１１の動作を確認することができる。ディスプレイ用筐体１３は、機器本体１２に対する揺動を通じて機器本体１２に重ね合わせられることができる。【００１５】  ＬＣＤパネルモジュール１６の表面にはタッチパネル１８といった入力装置が配置される。その一方で、機器本体１２にはペンユニット１９が組み込まれる。ペンユニット１９はスタイラスペン２１を備える。スタイラスペン２１は、機器本体１２の筐体２２の側面に区画される開口２３から筐体２２内に受け入れられる。こうしたスタイラスペン２１の操作に基づきタッチパネル１８からＣＰＵに向けて様々な指令やデータが入力されることができる。【００１６】  図２に示されるように、スタイラスペン２１は、軸部２４と、軸部２４の先端に連続する先端片２５とを区画する。軸部２４および先端片２５は軸部２４および先端片２５より小さい径のくびれ部２６で連結される。先端片２５にはペン先２７が区画される。タッチパネル１８の操作にあたって利用者はペン先２７をタッチパネル１８に接触させる。スタイラスペン２１の断面形状は軸部２４の先端から後端まで均一に設定される。断面形状は軸部２４の軸心に直交する断面で特定される。軸部２４の軸心は直線で規定される。【００１７】  軸部２４には大径部材２８が一体化される。一体化にあたって一体成型が用いられればよい。一体成型にあたって大径部材２８および軸部２４には例えば樹脂材料が利用されればよい。大径部材２８は軸部２４の外周面から所定量で張り出す。ここでは、大径部材２８は、軸部２４の外周全周にわたって軸部２４の外周面から突き出ればよい。大径部材２８の後端と軸部２４の後端との間には距離Ｌ０が確保される。【００１８】  図３に示されるように、ペンユニット１９は、筐体２２内に収容される例えば筒状の本体３１と、本体３１の後方に配置されるペン保持機構３２とを備える。本体３１は、前端に区画される開口３１ａで筐体２２の開口２３に向き合わせられる。本体３１は例えば樹脂材料から成型されればよい。本体３１やペン保持機構３２は例えば筐体２２の底板に固定されればよい。こういった固定にあたって例えばねじ（図示されず）が用いられればよい。【００１９】  本体３１は、開口３１ａから一方向に延びる収容��間を区画する。収容空間にはスタイラスペン２１が収容される。スタイラスペン２１は開口２３から収容空間に向かって先端を進入させる。スタイラスペン２１の先端はペン保持機構３２に拘束される。このとき、スタイラスペン２１の後端は開口２３から所定の長さで突き出ればよい。【００２０】  図４に示されるように、本体３１の収容空間には例えば１対の狭小路部材３３、３３が配置される。狭小路部材３３は本体３１の内壁面に取り付けられればよい。取り付けにあたって接着剤が用いられればよい。狭小路部材３３は弾性体から構成される。弾性体は例えばスポンジゴムといった弾性樹脂材料から形成されればよい。【００２１】  狭小路部材３３の前端と開口３１ａとの間には距離Ｌ１が確保される。筐体２２と本体３１との相対位置に応じて開口３１ａと開口２３との間には距離Ｌ２が設定されることができる。拘束中のスタイラスペン２１の突き出し量すなわちスタイラスペン２１の後端と開口２３との距離Ｌ３が決定されると、距離Ｌ０、Ｌ１、Ｌ２、Ｌ３に基づき大径部材２８の後端と狭小路部材３３の前端との距離Ｌ４は特定される。スタイラスペン２１がペン保持機構３２に拘束されると、狭小路部材３３は、大径部材２８および開口２３の間で大径部材２８から距離Ｌ４で離れて収容空間内に配置される。【００２２】  図５に示されるように、狭小路部材３３、３３同士の間隔Ｓは大径部材２８の外径Ｄに応じて設定されればよい。すなわち、間隔Ｓは大径部材２８の通過を許容する大きさに設定されればよい。したがって、間隔Ｓは必ずしも大径部材２８の外径Ｄに一致する必要はない。たとえ間隔Ｓが大径部材２８の外径Ｄよりも小さくても、狭小路部材３３の弾性変形に基づき大径部材２８の通過が許容されればよい。その一方で、大径部材２８には、後述されるように、十分な外径Ｄが確保されなければならない。【００２３】  いま、スタイラスペン２１が収容空間から引き出される場面を想定する。スタイラスペン２１の後端が収容空間内に向かって押し込まれると、ペン保持機構３２は開口２３に向かってスタイラスペン２１の先端に駆動力を付与する。駆動力はスタイラスペン２１の軸心方向に沿って付与される。続けて、ペン保持機構３２はスタイラスペン２１の拘束を解除する。こうして軸部２４は開口２３から突き出ていく。大径部材２８は開口２３に向かって移動する。【００２４】  このとき、スタイラスペン２１の移動は任意の案内部材で案内されるわけではない。したがって、収容空間内でスタイラスペン２１は自由に姿勢を変化させることができる。スタイラスペン２１の軸心が狭小路部材３３、３３同士の中間位置に一致することはほとんどあり得ない。スタイラスペン２１の軸心がそういった中間位置からずれる結果、図６に示されるように、大径部材２８の後端は狭小路部材３３の前端に必ず接触する。こうしてスタイラスペン２１の移動は規制される。開口２３からのスタイラスペン２１の落下は確実に防止される。【００２５】  前述のように、スタイラスペン２１の拘束時、大径部材２８の後端と狭小路部材３３の前端との間には距離Ｌ４が確保される。大径部材２８すなわちスタイラスペン２１の移動距離は距離Ｌ４に相当する。その結果、スタイラ��ペン２１は、（Ｌ４＋Ｌ３）の突き出し量で確実に筐体２２の開口２３から突き出ることができる。利用者は軸部２４を掴むことができる。その後、利用者は開口２３からスタイラスペン２１を引っ張り出す。このとき、狭小路部材３３、３３は大径部材２８の通過を許容する。こうしてスタイラスペン２１は開口２３から完全に引き出される。【００２６】  次に、スタイラスペン２１が収容空間に差し込まれる場面を想定する。スタイラスペン２１の先端は開口２３から収容空間に進入する。狭小路部材３３、３３の後端は大径部材２８の前端に接触する。利用者がさらにスタイラスペン２１を押し込むと、狭小路部材３３は大径部材２８の通過を許容する。こうしてスタイラスペン２１の先端はペン保持機構３２に到達する。その後、図４に示されるように、ペン保持機構３２はスタイラスペン２１の先端を拘束する。【００２７】  図６に示されるように、ペン保持機構３２はハウジング４１に収容される拘束部材４２を備える。この拘束部材４２はハウジング４１内に対して前進位置および後退位置の間で移動する。拘束部材４２にはハウジング４１内で案内突起４３が連結される。この案内突起４３は、ハウジング４１に形成される長孔４４に受け入れられる。案内突起４３は拘束部材４２の移動に応じて長孔４４内を移動する。長孔４４の働きで拘束部材４２の脱落は阻止される。【００２８】  拘束部材は１対のフック４５、４５を備える。このフック４５には、一体成型に基づき相互に離れる方向に弾性力が付与される。拘束部材４２が前進位置に到達すると、拘束部材４２はハウジング４１から飛び出る。その結果、フック４５はハウジング４１の拘束から解放される。フック４５、４５は開く。その一方で、図７に示されるように、拘束部材４２が後退位置に向かって移動すると、ハウジング４１との接触に基づきフック４５は閉じていく。こうして閉じられるフック４５同士の間にスタイラスペン２１の先端片２５は拘束される。フック４５はスタイラスペン２１のくびれ部２６に引っ掛けられる。スタイラスペン２１の抜け落ちは防止される。【００２９】  ハウジング４１内には変位ブロック４６が収容される。拘束部材４２および案内突起４３は変位ブロック４６に固定される。拘束部材４２や案内突起４３は変位ブロック４６に一体化されてもよい。変位ブロック４６およびハウジング４１の間には弾性部材すなわちコイルばね４７が挟み込まれる。このコイルばね４７は、前進位置に向かって拘束部材４２を駆動する弾性復元力を発揮する。拘束部材４２が前進位置から後退位置に移動すると、コイルばね４７には弾性復元力が蓄積されていく。【００３０】  変位ブロック４６には、相互に平行に広がる垂直仮想平面で１対の側面が規定される。図７から明らかなように、一方の側面には第１カム溝５１が形成される。第１カム溝５１にはガイドアーム５２の第１先端５３が受け入れられる。このガイドアーム５２は、水平方向に延びる揺動軸５４回りで揺動する。ガイドアーム５２の揺動に応じて第１先端５３は揺動軸５４回りに円弧を描きながら移動する。【００３１】  第１カム溝５１は、第１水平面レベル５５で変位ブロック４６の後端から前進方向に延びる第１水平溝５６を備える。第��水平溝５６の前端には第２水平溝５７が接続される。第２水平溝５７は第１水平面レベル５５よりも低い第２水平面レベル５８で延びる。第１水平溝５６および第２水平溝５７は滑らかな傾斜面５９で相互に接続されればよい。【００３２】  第２水平溝５７の前端には、変位ブロック４６の前端に沿って垂直方向に延びる垂直溝６１が接続される。この垂直溝６１には、後退方向に向かって窪む窪み６２が形成される。窪み６２には、前進方向に向かうにつれて垂直方向に上昇する傾斜面６３が向き合わせられる。垂直溝６１の上端には第３水平溝６４が接続される。第３水平溝６４は第１水平面レベル５５よりも高い第３水平面レベル６５で第２水平溝５７に並列に延びる。第３水平溝６４の先端は第１水平溝５６に接続される。スタイラスペン２１の拘束中、第１先端５３は窪み６２に受け入れられる。コイルばね４７の作用で変位ブロック４６には前進方向に推進力が作用することから、第１先端５３は窪み６２内に確実に保持される。拘束部材４２はハウジング４１内に維持される。【００３３】  図８に示されるように、他方の側面には第２カム溝６６が形成される。第２カム溝６６にはガイドアーム５２の第２先端６７が受け入れられる。この第２先端６７は、前述の垂直仮想平面に平行な対称面で第１先端５３に面対称に形成される。前述と同様に、ガイドアーム５２の揺動に応じて第２先端６７は揺動軸５４回りに円弧を描きながら移動する。【００３４】  第２カム溝６６は、第２水平面レベル５８で変位ブロック５６の後端から前進方向に延びる第１水平溝６８を備える。第１水平溝６８の前端には湾曲溝６９が接続される。湾曲溝６９は、第２水平面レベル５８よりも低い位置まで下がった後に第２水平面レベル５８まで復帰する。湾曲溝６９の先端には垂直溝７１が接続される。垂直溝７１には、前述と同様に、後退方向に向かって窪む窪み７２が形成される。ここでは、窪み７２の下端は第２水平面レベル５８に達する。窪み７２には、前進方向に向かうにつれて垂直方向に上昇する傾斜面７３が向き合わせられる。垂直溝７１の上端には第２水平溝７４が接続される。第２水平溝７４は第３水平面レベル６５に沿って延びる。第２水平溝７４の先端は第１水平溝６８に接続される。スタイラスペン２１の拘束中、第２先端６７は窪み７２に受け入れられる。コイルばね４７の作用で変位ブロック４６には前進方向に推進力が作用することから、第２先端６７は窪み７２内に確実に保持される。【００３５】  いま、スタイラスペン２１の拘束が解除される場面を想定する。コイルばね４７の弾性復元力に抗してスタイラスペン２１がペン保持機構３２のハウジング４１内に押し込まれると、変位ブロック４６は後端位置に向かって後退する。ガイドアーム５２の第１先端５３（第２先端６７）は傾斜面６３（７３）を登っていく。こうして第１先端５３（第２先端６７）は垂直溝６１（７１）に沿って垂直方向に上昇する。その結果、図９に示されるように、第１先端５３（第２先端６７）は第３水平レベル６５に到達する。こうして第１先端５３（第２先端６７）は第２水平溝６４（７４）に受け入れられる。【００３６】  このとき、コイルばね４７の弾性復元力の働きで変位ブロック４６は前進す���。変位ブロック４６の前進に伴って第１先端５３（第２先端６７）は第２水平溝５４（７４）から第１水平溝５６（６８）まで移動する。こうして変位ブロック４６が前進位置に位置決めされると、案内突起４３は長孔４４の前端に受け止められる。このとき、コイルばね４７の弾性復元力の働きでスタイラスペン２１の先端には開口２３に向かって駆動力が付与される。【００３７】  図１０に示されるように、拘束部材４２が前進位置に到達すると、拘束部材４２はハウジング４１から飛び出る。その結果、フック４５はハウジング４１の拘束から解放される。フック４５、４５には相互に離れる方向に弾性力が付与される。フック４５、４５は開く。拘束部材４２および先端片２５の引っ掛かりは解消される。拘束部材４２はスタイラスペン２１の先端片２５の拘束を解除する。こうしてスタイラスペン２１は移動する。【００３８】  次に、スタイラスペン２１が再び拘束される場面を想定する。スタイラスペン２１の先端片２５が拘束部材４２に受け止められると、拘束部材４２は後退位置に向かって移動する。その結果、ハウジング４１との接触に基づきフック４５は閉じていく。こうして閉じられるフック４５同士の間にスタイラスペン２１の先端片２５は拘束される。フック４５はスタイラスペン２１のくびれ部２６に引っ掛けられる。【００３９】  同様に、変位ブロック４６は後退位置に向かって後退する。コイルばね４７には弾性復元力が蓄積されていく。こうして、図１１に示されるように、第１先端５３は第１水平溝５６から第２水平溝５７内に移動する。第１先端５３は第２水平レベル５８に保持される。その一方で、第２先端６７は第１水平溝６８から湾曲溝６９内に移動する。第２先端６７は第２水平レベル５８よりも低い位置まで下がる。ガイドアーム５２では第２先端６７は第１先端５３に比べて大きな円弧を描いて移動する。こうしてガイドアーム５２には捻れが引き起こされる。【００４０】  その結果、図１２に示されるように、捻れの復元力で第１および第２先端５３、６７は第２水平面レベル５８まで復帰する。第２先端６７は第２垂直溝７１内に受け入れられる。したがって、スタイラスペン２１が押し込み力から解放されると、変位ブロック４６にはコイルばね４７の弾性復元力が作用する。こうして第２先端６７は垂直溝７１に沿って窪み７２に向かって移動する。同時に、第１先端５３は垂直溝６１に沿って窪み６２の向かって移動する。第１先端５３は窪み６２に受け入れられるとともに、第２先端６７は窪み７２に受け入れられる。コイルばね４７の作用で変位ブロック４６に前進方向に推進力が作用することから、第１および第２先端５３、６７は窪み６２、７２内に確実に保持される。【００４１】  その他、図１３に示されるように、軸部２４には、前述の大径部材２８に代えて、弾性体から構成される大径部材７１が取り付けられてもよい。取り付けにあたって接着剤が用いられればよい。大径部材７１は例えば円筒状に形成されればよい。弾性体は例えばスポンジゴムといった弾性樹脂材料から形成されればよい。こういった大径部材７１が例えばスタイラスペン２１のグリップを構成すれば、スタイラスペン２１の握り易さは向上する。【００４２】  その一���で、本体３１には、狭小路部材３３に代えて狭小路部材７２が一体化されてもよい。一体化にあたって一体成型が用いられればよい。一体成型にあたって本体３１および狭小路部材７２には例えば樹脂材料が用いられればよい。狭小路部材７２の形状は狭小路部材３３と同様に形成されればよい。その他、前述と均等な構成や構造には同一の参照符号が付される。こうしたペンユニット１９ａによれば、前述のペンユニット１９と同様の作用効果を奏することができる。【００４３】  その他、図１４に示されるように、ペンユニット１９ｂでは収容空間に狭小路部材７３、７３が配置されてもよい。狭小路部材７３は本体３１に一体化される。一体化にあたって一体成型が用いられればよい。一体成型にあたって本体３１および狭小路部材７３には例えば樹脂材料が用いられればよい。狭小路部材７３は基部端で本体３１に連結される。狭小路部材７３の先端には軸部２４の外周面に向かって突き出る突起７４が区画される。狭小路部材７３の基部端の弾性変形に基づき突起７４は基部端を支点に揺動することができる。【００４４】  前述と同様に、拘束中のスタイラスペン２１の突き出し量すなわちスタイラスペン２１の後端と開口２３との距離Ｌ３が決定されると、距離Ｌ０、Ｌ１、Ｌ２、Ｌ３に基づき大径部材２８の後端と狭小路部材７３の突起７４の前端との距離Ｌ４は特定される。スタイラスペン２１がペン保持機構３２に拘束されると、狭小路部材７３は、大径部材２８および開口２３の間で大径部材２８から距離Ｌ４で離れて収容空間内に配置される。その他、前述の実施形態と均等な構成や構造には同一の参照符号が付される。【００４５】  いま、開口２３からスタイラスペン２１が引き出される場面を想定する。コイルばね４７の弾性復元力に抗してスタイラスペン２１がペン保持機構３２に押し込まれると、駆動機構４３は開口２３に向かってスタイラスペン２１の先端に駆動力を付与する。このとき、スタイラスペン２１の移動は任意の案内部材で案内されるわけではない。したがって、収容空間内でスタイラスペン２１は自由に姿勢を変化させることができる。スタイラスペン２１の軸心が狭小路部材７３、７３同士の中間位置に一致することはほとんどあり得ない。スタイラスペン２１の軸心がそういった中間位置からずれる結果、図１５に示されるように、大径部材２８の後端は狭小路部材７３の突起７４の前端に必ず接触する。こうしてスタイラスペン２１の移動は規制される。開口２３からのスタイラスペン２１の落下は確実に防止される。【００４６】  前述のように、スタイラスペン２１の拘束時、大径部材２８の後端と狭小路部材７３の突起７４の前端との間には距離Ｌ４が確保される。大径部材２８すなわちスタイラスペン２１の移動距離は距離Ｌ４に相当する。その結果、スタイラスペン２１は、（Ｌ４＋Ｌ３）の突き出し量で確実に筐体２２の開口２３から突き出ることができる。利用者は軸部２４を掴むことができる。その後、利用者は開口２３からスタイラスペン２１を引っ張り出す。このとき、狭小路部材７３、７３の突起７４、７４は基部端の弾性変形に基づき大径部材２８の通過を許容する。こうしてスタイラスペン２１は開口２３から完全に引き出される。【００４��】  次に、スタイラスペン２１が収容空間に差し込まれる場面を想定する。スタイラスペン２１の先端は開口２３から収容空間に進入する。狭小路部材７３、７３の突起７４の後端は大径部材２８の前端に接触する。利用者がさらにスタイラスペン２１を押し込むと、狭小路部材７３、７３の突起７４、７４は基部端の弾性変形に基づき大径部材２８の通過を許容する。こうしてスタイラスペン２１の先端はペン保持機構３２に到達する。その後、ペン保持機構３２はスタイラスペン２１の先端を拘束する。【００４８】  以上のようなペンユニットは、ノートパソコン１１に代えて、例えばタブレット型のコンピュータ、携帯情報端末（ＰＤＡ）や携帯電話端末装置といったその他の電子機器に組み込まれてもよい。
【図１】
2007086106.tif 000003
【図２】
2007086106.tif 000004
【図３】
2007086106.tif 000005
【図４】
2007086106.tif 000006
【図５】
2007086106.tif 000007
【図６】
2007086106.tif 000008
【図７】
2007086106.tif 000009
【図８】
2007086106.tif 000010
【図９】
2007086106.tif 000011
【図１０】
2007086106.tif 000012
【図１１】
2007086106.tif 000013
【図１２】
2007086106.tif 000014
【図１３】
2007086106.tif 000015
【図１４】
2007086106.tif 000016
【図１５】
2007086106.tif 000017
【図１６】
2007086106.tif 000018
【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
開口から一方向に延びる収容空間を区画する本体と、開口から収容空間に向かって進入するペンを拘束する拘束部材と、開口に向かってペンに駆動力を付与する駆動機構と、ペンが拘束部材で拘束される際に、ペンの外周面から所定量で張り出す大径部材および開口の間で大径部材から離れて収容空間内に配置され、ペンの拘束が解除された際に大径部材に接触するとともに大径部材の通過を許容する狭小路部材とを備えることを特徴とするペンユニット。
【請求項２】
筐体と、筐体に区画される開口から一方向に延びる収容空間を区画する本体と、開口から収容空間に向かって進入するペンを拘束する拘束部材と、開口に向かってペンに駆動力を付与する駆動機構と、ペンが拘束部材で拘束される際に、ペンの外周面から所定量で張り出す大径部材および開口の間で大径部材から離れて収容空間内に配置され、ペンの拘束が解除された際に大径部材に接触するとともに大径部材の通過を許容する狭小路部材とを備えることを特徴とする電子機器。
【請求項３】
請求項２に記載の電子機器において、前記狭小路部材は弾性体で形成されることを特徴とする電子機器。
【請求項４】
請求項２に記載の電子機器において、前記大径部材は前記ペンに装着されることを特徴とする電子機器。
【請求項５】
請求項４に記載の電子機器において、前記大径部材は弾性体で形成されることを特徴とする電子機器。
【請求項６】
請求項５に記載の電子機器において、前記大径部材は前記ペンのグリップを構成することを特徴とする電子機器。
【請求項７】
請求項２に記載の電子機器において、前記大径部材は前記ペンに一体化されることを特徴とする電子機器。
【請求項８】
請求項２に記載の電子機器において、前記拘束部材は前記ペンの先端を拘束し、前記駆動機構は前記ペンの先端に駆動力を付与することを特徴とする電子機器。
【国際調査報告】
2007086106.tif 000019
2007086106.tif 000020
2007086106.tif 000021